(57)【要約】      （修正有）【課題】乗降部に設けられた表示装置における運転方向、階床表示などを簡易に変更できる。【解決手段】乗客コンベアの表示装置は、無端状に連結され循環移動する踏段を有する乗客コンベアの表示装置２０において、複数の整列配置された点状の発光体を有すると共に、乗降部の表面に設けられた表示部２８と、階床などの表示パターンを入力する信号入力部２２と、入力された表示パターンに基づいて、点灯させる発光ダイオード２９の位置を記憶する表示パターン記憶部２４と、表示パターン記憶部から読み出した位置情報に基づいて発光ダイオード２９を点灯及び消灯する発光体制御部２６と、を備えたものである。【選択図】図２
2011026049.tif 000002
【特許請求の範囲】
【請求項１】
無端状に連結され循環移動する踏段を有する乗客コンベアの表示装置において、
複数の整列配置された点状の発光体を有すると共に、乗降部の床面表面に設けられた表示部と、
階床などの表示パターンを入力する信号入力部と、
入力された表示パターンに基づいて、点灯させる前記発光体の位置を記憶する表示パターン記憶部と、
前記表示パターン記憶部から読み出した位置情報に基づいて前記発光体を点灯及び消灯する発光体制御部と、
を備えたことを特徴とする乗客コンベアの表示装置。
【請求項２】
前記表示パターンは、二つの異なる第１の表示パターンと第２の表示パターンとを併設し、前記発光体制御部は、第１の表示パターンを点灯して消灯した後、第２の表示パターンを点灯して消灯する、
ことを特徴とする請求項１に記載の乗客コンベアの表示装置。
【発明の詳細な説明】
【技術分野】
【０００１】
本発明は、乗客コンベアの表示装置に関するものである。
【背景技術】
【０００２】
従来の乗客コンベアの床埋込み型の表示装置は下記特許文献１に示すように、循環走行する踏段を支持する主枠と、この主枠の乗降部に設けられた乗降部と、この乗降部に配設され、当該乗降部の上方を照らす、冷陰極蛍光ランプを光源とする照明器具とを備え、照明器具が乗降部に形成された階床文字などから成っている。
かかる表示装置によれば、乗降板に冷陰極蛍光ランプを光源とする照明器具を設けたことにより、乗降板の下方に大きな設置スペースを確保することなく照明器具を設置できる。しかも、照明器具が乗降板に階床文字などを形成しているので、利用客に対する誘導案内ができる。
【先行技術文献】
【特許文献】
【０００３】
【特許文献１】特開２００４−１４９２２５号公報
【発明の概要】
【発明が解決しようとする課題】
【０００４】
しかしながら、乗客コンベアでは、特定の時間のみ運転方向を変更したり、乗客の輸送を停止したりすることがある。さらに、工場出荷後に客先の要求仕様が変更になることもある。このような場合、上記従来の乗客コンベアの表示装置では、照明器具によって階床文字などが形成されているので、乗降部の表示を変更することが煩雑で困難であるという課題があった。
【０００５】
本発明は、上記課題を解決するためになされたもので、乗降部に設けられた表示装置の運転方向、階床表示などを簡易に変更できる乗客コンベアの表示装置を得ることを課題としている。
【課題を解決するための手段】
【０００６】
本発明に係る乗客コンベアの表示装置は、無端状に連結され循環移動する踏段を有する乗客コンベアの表示装置において、複数の整列配置された点状の発光体を有すると共に、乗降部の床板表面に設けられた表示部と、階床などの表示パターンを入力する信号入力部と、入力された表示パターンに基づいて、点灯させる前記発光体の位置を記憶する表示パターン記憶部と、前記表示パターン記憶部から読み出した位置情報に基づいて前記発光体を点灯及び消灯する発光体制御部と、を備えたことを特徴とするものである。
【０００７】
かかる表示装置によれば、信号入力部からの表示パターンの入力に基づいて点灯させる発光体の位置を表示パターン記憶部に記憶し、発光体制御部が表示パターン記憶部から読み出した位置情報に基づいて発光体を点灯及び消灯する。したがって、乗客コンベアの進行方向、階床表示などを簡易に変更できる乗客コンベアの表示装置を得るこができる。
【０００８】
本発明の乗客コンベアの表示装置における表示パターンは、二つの異なる第１の表示パターンと第２の表示パターンとを併設し、前記発光体制御部は、第１の表示パターンを点灯して消灯した後、第２の表示パターンを点灯して消灯する、ことが好ましい。
これにより、第１の表示パターンを確認した後、第２の表示パターンを確認できるので、乗客コンベアの利用者の利便性が向上する。
【発明の効果】
【０００９】
本発明の乗客コンベアの表示装置によれば、乗降部に設けられた表示装置において、乗客コンベアの進行方向、階床表示などを簡易に変更できる。
【図面の簡単な説明】
【００１０】
【図１】本発明の一実施の形態を示す乗客コンベアの乗込み部の平面図である。
【図２】本発明の一実施の形態による乗客コンベアの表示装置の全体図である。
【図３】本発明の他の実施の形態による表示装置の表示部の平面図（ａ)，（ｂ）である。
【発明を実施するための形態】
【００１１】
実施の形態１．
本発明の一実施の形態を図１及び図２によって説明する。図１は本発明の一実施の形態を示す乗客コンベアの乗込み部の平面図、図２は一実施の形態による乗客コンベアの表示装置の全体図である。
図１において、乗客コンベアは、踏段３と、踏段３の両側に移動手摺５とが設けられ、乗降部において出入りする境界部にくし７を有しており、くし７を境界に踏段３と反対側に複数の床板１２で乗降部を成している。
中央の床板１２には、表面に表示部２８が露出するように表示装置２０が埋め込まれている。なお、表示部２８は、上部又は下部の床板１２のいずれに埋め込まれていても良い。
【００１２】
図２において、表示装置２０は、階床などを表示するすると共に、発光ダイオード２９を有する表示部２８と、信号入力部２２と、信号入力部２２からの入力情報に基づいて点灯する発光ダイオード２９を記憶する表示パターン記憶部２４と、表示パターン記憶部２４の記憶情報に基づいて発光ダイオード２９の点灯・消灯を制御する発光体制御部２６と、発光体制御部２６を動作させる点灯スイッチ２７と、から成っている。
表示部２８は、多数の点状に発光体としての発光ダイオード２９が行及び列に対応して整列配置されており、点灯している点灯ＬＥＤ２９ａ、消灯している消灯ＬＥＤ２９ｃとにより階床表示としての「Ｂ１」（地下１階）を表示している。ここで、発光体として発光ダイオード２９を用いたのは、光の輝度が高く遠方からの視認性が良好であるため、利用者が認識し易いからである。
また、発光ダイオード２９の点灯色を例えば赤色や緑色、又は黄色や青色等用いて、赤色又は緑色に切換えて点灯することにより、侵入禁止などの禁止事項の表示と運転方向表示などの案内表示とを利用者が直感的に認識し易い表示が可能となる。
【００１３】
信号入力部２２は、例えば、進行方向としての「↑」、階床表示としての「Ｂ１」などの表示パターンを入力することにより、点灯する発光ダイオード２９を選択している。表示パターン記憶部２４は、信号入力部２２から入力された表示パターンを表示するために、表示部２８における点灯する発光ダイオード２９の行と列との位置を記憶している。
発光体制御部２６は、信号入力部２２から入力された表示パターンを記憶した表示パターン記憶部２４を介して表示部２８の発光ダイオード２９を個別に点灯及び消灯することにより、所望の文字や記号を表示することができるように形成されている。なお、乗客コンベアの運転方向に連動して、進行方向としての「↑」を連動しても良い。
【００１４】
上記のように構成された乗客コンベアの表示装置の動作を図１から図３を参照して説明する。まず、信号入力部２２から表示パターンとして「Ｂ１」を入力すると、表示パターン記憶部２４は、表示パターン「Ｂ１」に基づいて、表示部２８において「Ｂ１」を表示するための発光ダイオード２９を点灯させる行と列との位置を記憶する。
そして、点灯スイッチ２７が投入されると、発光体制御部２６は、表示パターン記憶部２４を介して発光ダイオード２９を個別に点灯及び消灯することにより、「Ｂ１」を表示する。
そして、表示部２８の表示を１階を示す「１」にするには、上記と同様に、信号入力部２２から表示パターンとして「１」を入力すると、表示パターン記憶部２４は、表示パターン「１」に基づいて、表示部２８において「１」を表示するための発光ダイオード２９を点灯させる行と列との位置を記憶する。これにより、点灯スイッチ２７を投入すると、上記のように「１」を表示する。
【００１５】
上記のように構成された乗客コンベアの表示装置２０は、無端状に連結され循環移動する踏段を有する乗客コンベアの表示装置において、複数の整列配置された点状の発光ダイオード２９を有すると共に、乗降部の表面に設けられた表示部２８と、階床などの表示パターンを入力する信号入力部２２と、入力された表示パターンに基づいて、点灯させる前記発光体の位置を記憶する表示パターン記憶部２４と、表示パターン記憶部２４から読み出した位置情報に基づいて発光ダイオード２９を点灯及び消灯する発光体制御部２６と、を備えたものである。
かかる表示装置によれば、信号入力部２２からの表示パターンの入力に基づいて点灯させる発光ダイオード２９の位置を表示パターン記憶部２４に記憶し、発光体制御部２６が表示パターン記憶部２４から読み出した位置情報に基づいて発光ダイオード２９を点灯及び消灯する。したがって、乗客コンベアの乗降部に設けられた表示部２８において、乗客コンベアの進行方向、階床表示などを簡易に変更できる乗客コンベアの表示装置を得るこができる。
【００１６】
実施形態２．
本発明の他の実施の形態を図３によって説明する。図３は他の実施形態による表示装置の表示部の平面図（ａ)，（ｂ）である。
図３（ａ）に示すように、表示部２８の表示例として、地下１階を意味する第１の表示パターンとしての「Ｂ１」という文字と、乗客コンベアの進行方向を示す第２の表示パターン「↑」とを並設表示しており、図３（ｂ）に示すように、「Ｂ１」と乗客コンベアへの進入禁止を「Θ」とが並設表示されている。
【００１７】
発光体制御部２６は、「Ｂ１」を点灯して消灯した後、第２の表示パターン「↑」を点灯して消灯するように形成されている。
これにより、階床表示を確認した後、進行方向を確認できるので、乗客コンベアの利用者の利便性が向上する。
【符号の説明】
【００１８】
１２  乗降部、２０  表示装置、２２  信号入力部、２４  表示パターン記憶部、２６  発光体制御部、２８  表示部。
【図１】
2011026049.tif 000003
【図２】
2011026049.tif 000004
【図３】
2011026049.tif 000005